(57)【要約】【課題】虹彩の色を変えるインプラントを提供する。【解決手段】本発明のインプラントは、完全もしくは部分的に透明であるか半透明であるか不透明であり、着色され、生物学的適合性及び可撓性を有する材料でできている。このインプラント（１０）は、環状に形成され、目（１４）の虹彩（１６）上に位置する環状の領域（１２）と、中心の円形開口部（１８）とを形成する。少なくとも１つの取着手段（２０、２２）が、虹彩にインプラントを取り外し可能に取着し得るように形成されている。これら取着手段は、インプラントの環状領域に位置される。【選択図】　　　図１
2004113792.tif 000002
【特許請求の範囲】
【請求項１】
　完全にもしくは部分的に透明であるか半透明であるか不透明であり、着色され、生物学的適合性及び可撓性を有する材料で作られた虹彩の色を変えるインプラントであって、環状に形成され、目（１４）の虹彩（１６）上に位置する環状領域（１２）と中心の円形開口部（１８）とを形成し、少なくとも１つの取着手段（２０、２２）が、インプラント（１０）を虹彩（１６）に取り外し可能に取着するために形成されているインプラント（１０）において、前記取着手段（２０、２２）は、環状領域（１２）に位置されていることを特徴とするインプラント。
【請求項２】
　前記取着手段（２０）は、環状領域（１２）に少なくとも１つの開口部（２４）を有し、この開口部（２４）は、下に横たわる虹彩（１６）の部分的な領域を通して固定するように機能することを特徴とする請求項１のインプラント。
【請求項３】
　前記開口部（２４）は、十字のスリットの形に形成されていることを特徴とする請求項２のインプラント。
【請求項４】
　前記開口部（２４）は、これの内周部に突起並びに／もしくはでこぼこの表面を有することを特徴とする請求項１乃至３のいずれか１のインプラント。
【請求項５】
　前記取着手段（２２）は、少なくとも１つのフック状の突起（２６）を有し、この突起（２６）は、インプラント（１０）を虹彩（１６）の対応する部分的な領域中に通して引っ掛けるように機能することを特徴とする請求項１のインプラント。
【請求項６】
　前記突起（２６）は、テーパにされた露出端部（２８）を有することを特徴とする請求項５のインプラント。
【請求項７】
　前記突起（２６）は、生物学的適合性を有する材料で作られていることを特徴とする請求項５もしくは６のインプラント。
【請求項８】
　インプラント（１０）並びに／もしくは前記突起（２６）は、生物学的適合性を有するプラスチックで作られていることを特徴とする請求項１もしくは５のインプラント。
【請求項９】
　光学レンズもしくは透明なフォイル（３０）が、インプラント（１０）の中心の円形開口部（１８）に設けられていることを特徴とする請求項１乃至８のいずれか１のインプラント。
【請求項１０】
　プリントされ得ることを特徴とする請求項１乃至９のいずれか１のインプラント。
【請求項１１】
　５乃至１２ｍｍの直径と５０乃至３００μｍの厚さとを有することを特徴とする請求項１乃至１０のいずれか１のインプラント。
【請求項１２】
　前記中心の円形開口部（１８）は、５乃至７ｍｍのインプラント（１０）の直径に適合された直径を有することを特徴とする請求項１乃至１１のいずれか１のインプラント。
【請求項１３】
　インプラント（１０）のエッジ（３２、３４）は、完全にもしくは部分的に不規則あるいは鋸歯状に形成されていることを特徴とする請求項１乃至１２のいずれか１のインプラント。
【発明の詳細な説明】
【技術分野】
【０００１】
　本発明は、完全もしくは部分的に透明であるか半透明であるか不透明であり、着色され、生物学的適合性及び可撓性を有する材料で作られている虹彩の色を変えるインプラントであって、環状に形成され、目の虹彩上に位置する環状領域と中心の円形開口部とを形成するインプラントに関する。
【背景技術】
【０００２】
　このインプラントを虹彩に取り外し可能に取着するために、少なくとも１つの取着手段が形成されている。
【０００３】
　虹彩の色を変えるプラントは、ＤＥ１９８５０８０７Ａ１号（特許文献１）によって公知である。これは、所定の目即ち個人夫々に一致する色の形成及び構造と、天然の目の機能、特に瞳孔の光に依存した絞り効果をシミュレーションする機能を有する人工虹彩システムを説明している。更に、このＤＥ１９８５０８０７号は、好ましくは透明もしくは半透明の着色されたフォイルを結合させて望ましくない色のフォイルの部分を薄く削ることによって望みの色の混合物を得るという、人工虹彩システムの製造方法を説明している。天然の目の機能、特に瞳孔の機能をシミュレーションするために、人工虹彩には、瞳孔に対応して開かれた領域を通る光の伝達を弱める手段が設けられる。公知の人工虹彩は、接触レンズもしくはインプラントとして実現され得る。後者の場合、インプラントは、様々の目における様々の固定位置に対応するように取着部材として周辺固定装置を有する。インプラントは、目の前方の室もしくは溝内のカプセルの袋の中に位置され得る。
【０００４】
　また、米国特許５６２８７９７号(特許文献２)は、前方の目の室中に位置される眼内レンズインプラントを説明している。このインプラントは、透明な材料、特に、ポリメタクリレート（polymethacrylate）（ＰＭＭＡ）のような透明なプラスチックで作られている。更に、これは、閉じたリングを形成するように結合され得る２つのリングの半体からできており、これの環状領域が目の瞳孔上に位置する。インプラントを取着するために取着手段がインプラントの周囲に位置されており、これが目の対応する領域と係合する。
【特許文献１】ＤＥ１９８５０８０７Ａ１号
【特許文献２】米国特許５６２８７９７号
【発明の開示】
【発明が解決しようとする課題】
【０００５】
　しかしながら、公知の虹彩の色を変えるインプラントは、これらが各々に実際のインプラントから周囲に突出して把持する取着手段を有することから眼内の傷を生むことがある点で、不都合である。これは、インプラントを目の中に挿入する外科手術に特に当てはまる。
【０００６】
　かくして、本発明の目的は、最初に述べられたような、簡単かつ優しい目へのインプラントの取着を確実にするインプラントを提供することである。
【課題を解決するための手段】
【０００７】
　この目的は、請求項１の特徴を有するインプラントによって果たされる。
【０００８】
　有利に発展された例が独立請求項に述べられている。
【０００９】
　本発明に係る虹彩の色を変えるインプラントでは、環状のインプラントによって形成された環状領域に１つ以上の取着手段が設けられている。かくして、効果的には、周囲の突起もしくは他の取着手段がインプラントの周囲から外方に、即ち、目の中に突出しないことが確実にされる。従って、一方では、本発明に係るインプラントを外科手術的で目中に挿入する場合、目の外科手術が成された領域に傷ができるのを防ぐことができる。他方では、インプラントを虹彩上へと眼内に配置させた後に生じ得る傷がほぼ避けられる。本発明に係るインプラントは、完全にもしくは部分的に透明であるか半透明であるか不透明で、着色され、生物学的適合性及び可撓性を有する材料で作られていることから、理想的には、虹彩の色を変えるインプラントとして適している。また、このインプラントを目に取着する作業は、インプラントが可撓性を有するように設計されているので簡単かつ速く行える。
【００１０】
　本発明に係るインプラントの効果的な実施形態では、取着手段は、環状領域の少なくとも１つの開口部である。この開口部は、下に横たわる虹彩の部分的な領域を通して固定するように働く。対応する虹彩の領域を通し、固定する場合は、夫々に、吸引即ち真空の装置によって簡単に効果を高められ得る。しかしながら、また、手動で虹彩の領域をインプラントの開口部に夫々通し、これらを固定させることも可能である。本発明の効果的な実施形態では、開口部は、十字形のスリットの形に形成されている。このような形により、夫々開口部中に通された虹彩領域がインプラントに確実にしっかりと保持される。
【００１１】
　本発明に係るインプラントの更なる効果的な実施形態では、取着手段は、少なくとも１つのフックのような突起である。この突起は、虹彩の対応する部分的な領域中にインプラントを突入させて引っ掛けるように機能する。このような突起は、夫々に、インプラントが虹彩上に素早く簡単に取着され得るようにする。突起を対応する虹彩の領域中に容易に突入させるために、各突起は、テーパにされた露出端部を有し得る。付加的に、突起は、生物学的適合性を有する材料で作られても効果的である。これは、インプラント全体にも当てはまる。特に、インプラント並びに／もしくは突起は、生物学的適合性を有するプラスチックで作られる。
【００１２】
　本発明に係るインプラントの他の効果的な実施形態では、光学レンズもしくは透明なフォイルが、インプラントの中心開口部に設けられる。かくして、虹彩の色を変えるかこれを補強するのに加えて、目の視覚的な鋭敏さを正しく補正することも可能である。
【００１３】
　本発明の更なる効果的な実施形態では、インプラントは、プリントされ得る。かくして、インプラントに問題を生じることなく、全ての考えられる設計、即ち、全ての考えられる色もしくは全てのパターンを適用することができる。また、インプラントのエッジは、完全にもしくは部分的に不規則にあるいは鋸歯状に形成されてもよい。従って、個々に及び独特に虹彩の色だけでなく虹彩自身の形状をも変えることができる。
【００１４】
　本発明の効果的な実施形態では、インプラントは、５乃至１２ｍｍの直径と、５０乃至３００μｍの厚さとを有する。中心の円形開口部は、５乃至７ｍｍのインプラントの直径に適合された直径を有する。インプラントは、このようなサイズにすることで、殆ど全ての目もしくは虹彩のサイズに合わせられ得る。５０乃至３００μｍの厚さにすることで、インプラントを効果的に可撓性を有するように形成することができる。
【００１５】
　以下には、本発明が、幾つかの実施形態に関連してより詳しく説明される。
【発明を実施するための最良の形態】
【００１６】
　図１は、第１の実施形態に係る虹彩の色を変えるインプラント１０を概略的に示す。この図を見ると、インプラント１０が環状に形成され、目１４の虹彩１６上に位置する（図２参照）環状領域１２を有していることが分かる。更に、中心の円形開口部１８がインプラントに形成されている。この開口部は、インプラント１０が虹彩１６上に位置した後に目１４の瞳孔３８の領域（図２参照）に位置する。
【００１７】
　また、インプラント１０の示された第１の実施形態では、環状領域１２に幾つかの取着手段２０が位置されている。各取着手段２０は、環状領域１２を通って延びた開口部２４を有する。開口部２４は、下に横たわる虹彩１６の部分的な領域を通して固定するように働く。示された実施形態では、開口部２４は、十字のスリットの形に形成されている。しかしながら、開口部２４は、他のどんな形にされてもよい。また、開口部２４は、これの内周部に突起並びに／もしくはでこぼこの表面を有する。これによって、開口部２４の対応する虹彩領域は、確実に強く固定される。
【００１８】
　更に、環状のインプラント１０は、対応するエッジ３２及び３４を有する。示された第１の実施形態では、エッジ３２及び３４は、完全な円形に形成されている。
【００１９】
　インプラント１０は、通常は、完全にもしくは部分的に透明であるか半透明であるか不透明である可撓性材料で作られている。この材料は、付加的に、着色されて生物学的適合性を有するように形成される。特に、インプラントは、生物学的適合性を有するプラスチックでできている。これを考慮すると、これは、プラスチックＰＭＭＡであってよい。更に、インプラントはプリントされ得る。
【００２０】
　インプラント１０は、５乃至１２ｍｍの直径と５０乃至３００μｍの厚さとを有する。中心の円形開口部１８は、５乃至７ｍｍのインプラント１０の直径に適合された直径を有する。インプラント１０は、１つの片から、もしくは、互いに重ねられた複数のフォイルなどの複数の単一部材から製造され得る。
【００２１】
　図２は、図１に係る虹彩１６上に位置したインプラント１０を示す。これを見ると、十字のスリットの形の取着手段２０及び２４がインプラント１０の環状領域１２に形成され、かくして、虹彩１６の対応する部分的な領域に位置することが分かる。インプラント１０の中心の開口部１８は、光が瞳孔を通って目１４の中に伝えられるようにする。
【００２２】
　図３は、虹彩１６上に位置してこれに取着された図１及び２に係るインプラント１０を示す。この図では、開口部２４の下に横たわる虹彩１６の部分的な領域が開口部２４を通り、これら開口部によって夫々取着及び固定されていることが分かる。十字のスリットの形の開口部２４が形成されていることにより、保持効果が高められている。
【００２３】
　図４は、虹彩１６上に位置してこれに取着された図１乃至３に係るインプラント１０の断面図である。これを見ると、インプラント１０は環状領域１２が虹彩１６上に来るように位置することが明らかである。開口部２４の下に横たわる虹彩１６の部分的な領域が、開口部２４を通ってこれの中に固定される。更に、図面を見ると、インプラント１０が環状に設計されていることで光が何にも妨げられることなく瞳孔を通して目の中に伝達され得ることが分かる。
【００２４】
　図５は、第２の実施形態に係るインプラント１０を概略的に示す。第２の実施形態に関れば、各取着手段２２は、フックのような突起２６を有する。この突起２６は、インプラント１０を虹彩１６の対応する部分的な領域の中に突入させて引っ掛けるように働く。各突起２６は、この突起が虹彩１６中に容易に突入されるようにテーパにされた露出端部２８を有する。突起２６は、生物学的適合性を有するプラスチックなどの材料でできている。
【００２５】
　また、示された第２の実施形態に係るインプラント１０は、円形のエッジ３２及び３４を有して、リングを形成している。このリングの円形の開口部１８は、光を伝達するように働く。
【００２６】
　図６は、虹彩１６上に位置した図５に係るインプラント１０を示す。この実施形態では、取着手段２２及び２６がインプラント１０の環状領域１２に形成されている。かくして、取着手段２２及び２６は、虹彩１６上のみに位置される。
【００２７】
　図７に示された図５及び６に係るインプラント１０の断面図によって、インプラント１０がどのように虹彩１６上に位置してこれに取着されているかが分かる。また、取着手段２２、２６が下に横たわる虹彩１６の部分的な領域と係合していることも分かる。フックのような突起２６は、インプラント１０のリングの内側に向いている。環状領域１２によって囲まれた中心の開口部１８は、光が何にも妨げられずに瞳孔３８を通って目１４の中に伝達されるようにする。
【００２８】
　図８は、第３の実施形態に係るインプラント１０を概略的に示す。この図では、インプラントのエッジ３２及び３４が鋸歯状に形成されている。更に、全体としては、インプラント１０は環状に形成され、即ち、インプラント１０は、環状領域１２と中心の開口部１８とを有する。また、インプラント１０のエッジ３２及び３４が他の形状を有してもよい。
【００２９】
　図９は、第４の実施形態に係るインプラント１０を概略的に示す。この図では、環状のインプラント１０は、中心の開口部１８の領域に光学レンズもしくは透明なフォイル３０とを有する。その上、虹彩の色もしくはパターンを夫々変えるだけでなく、視力の補正も行える。
【図面の簡単な説明】
【００３０】
【図１】第１の実施形態に係る本発明のインプラントを概略的に示す。
【図２】虹彩上に位置した図１に係るインプラントを示す。
【図３】虹彩上に位置してこれに取着された図１及び２に係るインプラントを示す。
【図４】虹彩上に位置してこれに取着された図１乃至３に係るインプラントの断面図である。
【図５】第２の実施形態に係る本発明のインプラントを概略的に示す。
【図６】虹彩上に位置した図５に係るインプラントを示す。
【図７】虹彩上に位置してこれに取着された図５及び６に係るインプラントの断面図である。
【図８】第３の実施形態に係る本発明のインプラントの断面図である。
【図９】第４の実施形態に係る本発明のインプラントを概略的に示す。
【符号の説明】
【００３１】
　１０…インプラント、１２…環状領域、１４…目、１６…虹彩、１８…円形開口部、２０、２２…取着手段。
【図１】
2004113792.tif 000003
【図２】
2004113792.tif 000004
【図３】
2004113792.tif 000005
【図４】
2004113792.tif 000006
【図５】
2004113792.tif 000007
【図６】
2004113792.tif 000008
【図７】
2004113792.tif 000009
【図８】
2004113792.tif 000010
【図９】
2004113792.tif 000011